(57)【要約】      （修正有）【課題】座椅子に関し、具体的には、背凭れの角度が調節可能な座椅子を提供する。【解決手段】座部３と背凭れ部５とを有する座椅子１に関し、座部のフレームを構成するベースフレームと、一端はベースフレームの後部に回転可能に接続される。ベース・フレームに対してと任意の角度を形成する腰部フレームと、腰部フレームと共に、背凭れ部５のフレームを構成し、一端は腰部フレームの他端に回転可能に接続され、腰部フレームとの間の角度が第１の角度と第２の角度の間に調整可能である背部フレームとを備える。【選択図】図１
0003183378.tif 000002
【実用新案登録請求の範囲】
【請求項１】
座部（３）と背凭れ部（５）とを有する座椅子（１）であって、
前記座部のフレームを構成するベースフレーム（１１）と、
一端は前記ベースフレームの後部に回転可能に接続され、前記ベース・フレームに対して任意の角度を形成する腰部フレーム（１３）と、
前記腰部フレーム（１３）と共に、前記背凭れ部（５）のフレームを構成し、一端が前記腰部フレームの他端に回転可能に接続され、前記腰部フレームとの間の角度が第１の角度と第２の角度の間に調整可能である背部フレーム（１５）と
を備える
ことを特徴とする座椅子。
【請求項２】
前記腰部フレームと前記背部フレームとの間に取り付けられ、前記背部フレームと前記腰部フレームとの角度が前記第１の角度から前記第２の角度に向かう方向に前記背部フレームが回転する際に、前記背部フレームに対して、この回転動作を妨げる方向に回復力を加える弾性部品（４０）を有する
ことを特徴とする請求項１に記載の座椅子。
【請求項３】
前記弾性部品は渦巻ばねであり、
前記渦巻ばねは、中心端が前記腰部フレーム及び前記背部フレームの一方に固定され、外周端が前記腰部フレーム及び前記背部フレームの他方に接続される
ことを特徴とする請求項２に記載の座椅子。
【請求項４】
前記第１の角度は、略１８０度である
ことを特徴とする請求項１に記載の座椅子。
【請求項５】
前記腰部フレームと前記背部フレームとの間に設けられ、前記背部フレームと前記腰部フレームとの角度を前記第１の角度に対応する位置でロックするロック状態と、前記背部フレームと前記腰部フレームとの角度を調整可能な調整状態との間で切り替え可能な制御機構（３０）を備える
ことを特徴とする請求項１に記載の座椅子。
【請求項６】
前記制御機構は、
ピンプラグ（３１ａ）と、前記ピンプラグ（３１ａ）に平行する長挿入軸(３１ｂ)と、両端がそれぞれ前記長挿入軸と前記ピンプラグに接続する折り曲げ部(３１ｃ)とを有する操作レバー(３１)と、
前記背部フレームの側辺に形成される取り付け孔（３４）であって、前記長挿入軸を前記取り付け孔（３４）に挿入し、前記取り付け孔（３４）から伸び出る取り付け孔（３４）と、
前記背部フレームの前記側辺に形成される第１の溝（３２）と、
前記腰部フレームの前記側辺に形成され、前記ロック状態で、前記第１の溝に位置合わせする第２の溝（３３）と
を備え、
前記ロック状態で、前記ピンプラグ（３１ａ）が、前記第１の溝と前記第２の溝に挿入され、前記調整状態で、前記ピンプラグ（３１ａ）が前記第１の溝と前記第２の溝から抜き出される
ことを特徴とする請求項５に記載の座椅子。
【請求項７】
前記腰部フレームの前記他端に、前記背部フレームの前記一端を回転可能に支える支持軸(２１)が設けられ、当該支持軸の一端に位置決め板(３９)が配置され、当該位置決め板上に前記第２の溝が形成される
ことを特徴とする請求項６に記載の座椅子。
【請求項８】
前記制御機構は、前記背部フレームの前記側辺に取り付けられ、前記操作レバーの折り曲げ部を収納する収納筺体（３８）を備え、
前記収納筺体の底部に、前記長挿入軸を挿通する長挿入軸孔（３８ｄ）、前記ピンプラグ（３１ａ）を挿通する溝孔（３８ｅ）、及びロック解除孔(３８ｆ)が形成され、
前記調整状態で、前記ピンプラグを前記第１の溝と第２の溝から抜き取った後、前記ロック解除孔に挿入する
ことを特徴とする請求項６に記載の座椅子。
【請求項９】
前記長挿入軸が前記取り付け孔を挿入した部分に、前記長挿入軸を前記取り付け孔に戻す方向に、前記長挿入軸に付勢するコイルばね（３６）が取り付けられる
ことを特徴とする請求項７に記載の座椅子。
【請求項１０】
前記支持軸に、腰部支持体(５０)が設けられる
ことを特徴とする請求項７に記載の座椅子。
【請求項１１】
前記ベースフレームの先端部に足部フレーム(１７)が回転可能に接続され、当該足部フレームは、前記ベースフレームとの間の角度を任意の角度に調整する
ことができることを特徴とする請求項１に記載の座椅子。
【考案の詳細な説明】
【技術分野】
【０００１】
本考案は座椅子に関し、具体的には、背凭れの角度が調整可能な座椅子に関する。
【背景技術】
【０００２】
従来、背凭れの角度が調整可能な座椅子において、座部のフレームと背凭れ部のフレームとは、自動ロック可能な蝶番などにより、相互間の角度を任意の角度に設定できるように軸接続されている。座部フレーム及び背凭れ部フレームにクッション、スポンジ、織物などの材料を充填することにより、座部と背凭れが形成される。ユーザは当該座椅子の座部と背凭れの角度を調整することにより快適な姿勢で座ることができる一方、背凭れを座部と同じ平面になるまで後方に倒すことにより、座椅子の上で腹筋や背すじ伸ばしなどの運動を行うことができる。ところで、上記座椅子は、背凭れの角度しか調節できないため、調節方法のバリエイションが少なく、用途も限られていた。
【考案の概要】
【考案が解決しようとする課題】
【０００３】
本考案は上記従来の問題点を鑑みてなされ、多様な調節を可能にする座椅子を提供することを目的とする。
【課題を解決するための手段】
【０００４】
本考案による座椅子は、座部（３）と背凭れ部（５）とを有する座椅子（１）であって、前記座部のフレームを構成するベースフレーム（１１）と、  一端が前記ベースフレームの後部に回転可能に接続され、前記ベース・フレームに対して任意の角度を形成する腰部フレーム（１３）と、  前記腰部フレーム（１３）と共に、前記背凭れ部（５）のフレームを構成し、一端が前記腰部フレームの他端に回転可能に接続され、前記腰部フレームとの間の角度が第１の角度と第２の角度の間に調整可能である背部フレーム（１５）とを備えることを特徴とする。
【０００５】
本考案に係る座椅子において、前記腰部フレームと前記背部フレームとの間に取り付けられ、前記背部フレームと前記腰部フレームとの角度が前記第１の角度から前記第２の角度に向かう方向に前記背部フレームが回転する際に、前記背部フレームに対して、この回転動作を妨げる方向に回復力を加える弾性部品（４０）を有する。
【０００６】
本考案による座椅子において、前記腰部フレームと前記背部フレームとの間に設けられ、前記背部フレームと前記腰部フレームとの角度を前記第１の角度に対応する位置でロックするロック状態と、前記背部フレームと前記腰部フレームとの角度を調整可能な調整状態との間で切り替え可能な制御機構（３０）を備える。制御機構により、背部フレームをロックし、また、該背部フレームのロックを解除することで、座椅子の機能を容易に切り替えることができる。
【考案の効果】
【０００７】
本考案によれば、本考案に係る座椅子は、ベースフレーム（１１）と、腰部フレーム（１３）と、及び背部フレーム（１５）とを備え、背部フレーム（１５）は、腰部フレーム（１３）に対して折り曲がれることにより、角度を自由に調整できるため、ユーザは後ろへ体を伸すとき、背部フレーム（１５）は、腰部フレーム（１３）に対して所望の角度に折り曲げられ、座椅子の用途は増える。
【図面の簡単な説明】
【０００８】
【図１】図１は本考案の実施形態に係る座椅子の概略図である。
【図２】図２は本考案の実施形態に係る座椅子のフレームの構成である。
【図３】図３は本考案の実施形態に係る座椅子の一使用状態の構成図を示す。
【図４】図４は本実施例に係る座椅子の他の使用状態の構成図を示す。
【図５】図５は本実施例に係る座椅子の分解図である。
【図６】図６は本実施例における弾性部品として用いる渦巻ばねの図を示す。
【図７】図７は制御機構が回転ロック状態である場合の斜視図である。
【図８】図８は収納筺体の概略図である。
【図９】図９は制御機構が回転ロック解除状態である場合の斜視図である。
【考案を実施するための形態】
【０００９】
以下、図面を参照しながら、本考案の座椅子の構成を詳しく説明する。図１は本考案の一実施形態に係る座椅子の概略図である。図１に示すように、本実施形態に係る座椅子１は座部３と、背凭れ５とを備える。図１に示していないが、座椅子１には脚部が形成されていてもよい。
【００１０】
図２は座椅子１のフレーム構成を示した斜視図である。図３は座椅子１の使用状態を示す斜視図である。図４は座椅子１のほかの使用状態を示す斜視図である。なお、図３及び図４に図示される座椅子１は、フレーム構成以外の要素を省略して図示する。
【００１１】
図２に示すように、座椅子１は、座部３のフレーム（ベースフレーム）１１と、蝶番Ｌ１によりベースフレーム１１の後部と回転可能に接続される腰部フレーム１３と、腰部フレーム１３に対して回転可能に接続される背部フレーム１５と、蝶番Ｌ２によりベースフレーム１１前部に回転可能に接続される足部フレーム１７と、を備える。背部フレーム１５と腰部フレーム１３とによって、背凭れ５のフレームが構成される。
【００１２】
図２〜図４に示す例において、蝶番Ｌ１により、腰部フレーム１３をベースフレーム１１に対して任意の角度に維持することができる。蝶番Ｌ１には、例えば、市販の多段調節蝶番(例えば光洋会社製ＫＤＳ-１２型)などを用いることができる。
【００１３】
図２において、背部フレーム１５と腰部フレーム１３を備える背凭れ部５のフレームは、ベースフレーム１１に対して略直角方向に延びており、このとき、ユーザは、背凭れ５に背中を靠れかけた状態で座部３に着座することができる。図３において、背部フレーム１５と腰部フレーム１３とを備える背凭れ部５のフレームを後側に倒すと、ベースフレーム１１と略同一平面になる。この場合、ユーザは、座椅子１に仰向きに寝た状態で、例えば、腹筋運動をすることができる。
【００１４】
本実施形態において、背部フレーム１５と腰部フレーム１３とは、互いに回転可能に接続されるため、背部フレーム１５と腰部フレーム１３との間の角度を調整することができる。即ち、背部フレーム１５を、腰部フレーム１３に対して自由に折り曲げることができる。図２の例において、背部フレーム１５と腰部フレーム１３との間の角度は１８０度であり、折り曲げられていない状態が示されている。同様に、図３の例においても、背部フレーム１５と腰部フレーム１３との間の角度も１８０度であり、折り曲げられていない状態が示されている。図４の例において、背部フレーム１５は腰部フレーム１３に対して後方に角度βだけ折り曲げられている。本実施形態において、腰部フレーム１３と背部フレーム１５との回転接続部２０には、渦巻ばね４０が設けられている。
【００１５】
図５は本実施例に係る座椅子の分解斜視図である。図６は本実施例における弾性部品として用いられる渦巻ばねを示す。図５及び図６に示すように、渦巻ばね４０は、中心端４２と外周端４３とを備える。渦巻ばね４０の中心端４２が、回転接続部２０に設置され、腰部フレーム１３に固定される固定ピン４１のクリップの隙間に嵌めこまれ(不図示)ることにより、腰部フレーム１３に対して固定することができる。
【００１６】
渦巻ばね４０の外周端４３は、Ｒ状に形成されており、背部フレーム１５の係合ピン４４の外面に係合している。従って、背部フレーム１５が、渦巻ばね４０のばね力により図５中の矢印Ｒ方向に付勢されている。すなわち、制御機構３０によりロック状態を解除するとともに、背部フレーム１５を腰部フレーム１３に対して後方に折り曲げた状態で、背部フレーム１５は、渦巻ばね４０によるばね力によって図５中における矢印Ｒ方向に押し込まれている。これにより、背部フレーム１５には、腰部フレーム１３と同一平面になる状態に回復させる弾性力が付与される。
【００１７】
腰部フレーム１３と背部フレーム１５との回転接続部２０の他端部に、制御機構３０が設けられ、この制御機構３０は、背部フレーム１５を図２及び図３に示される腰部フレーム１３と略同一平面である位置にロックし、また、そのロックを解除し、背部フレーム１５を腰部フレーム１３に対して回転させるように制御する。
【００１８】
足部フレーム１７とベースフレーム１１とを回転可能に接続する蝶番Ｌ２は、足部フレーム１７とベースフレーム１１とを任意の角度に維持することができる。蝶番Ｌ２として上記の多段調節蝶番などを用いることができる。
【００１９】
図２〜図４に示す例において、上記のように、制御機構３０が腰部フレーム１３と背部フレーム１５を略同一平面にロックした状態で（図２と図３参照）、腰部フレーム１３と背部フレーム１５とは一体となって背凭れ５を構成する。背凭れ５は、座部３に対して任意の角度に回転し、この回転後の位置で固定することができる。
【００２０】
ユーザは、座椅子１を床に置き、もたれて使用することができ、また、座部３と背凭れ５との間の角度を調整することにより、例えば、背凭れ５を後方へ倒して、座部３と略同一平面にする場合(ベースフレーム１１と、腰部フレーム１３と、背部フレーム１５は、図３に示すような位置になる)、座椅子１を腹筋運動などの練習に利用することができる。
【００２１】
また、図２及び図４に示すように、腰部フレーム１３とベースフレーム１１との間の角度が角度αに固定された状態で、制御機構３０により背部フレーム１５のロックを解除することで、背部フレーム１５を腰部フレーム１３に対して後方へ回転することができ、例えば、背部フレーム１５を腰部フレーム１３に対して角度βだけ回転させる場合、背凭れ５がユーザの腰部付近で折り曲げられる。
【００２２】
このとき、例えば、ユーザは、腰部フレーム１３と背部フレーム１５との接続部２０に形成される折曲げにより腰部が支えられた状態で、上半身を後方へ仰向きにして、ストレッチ運動（背すじ伸ばしを含む）を行うことができる。この場合、渦巻ばね４０の弾力により、背凭れ５の上半部(即ち、背部フレーム１５に対応する部分)がユーザの背中を押し、ユーザが上半身を後方へ仰向かせるとき、背凭れ５が後方へ折曲がる部分は、ユーザの背中を有効に支え、運動によるけがを回避でき、また、ユーザが上半身を起す場合、ユーザの背中を有効に押す。
【００２３】
以下、本実施例に係る座椅子１の制御機構３０の構成について詳細に説明する。図５に示すように、本実施例において、制御機構３０は背部フレーム１５と腰部フレーム１３との間に設けられ、背部フレーム１５上に設けられる第１の溝３２と、腰部フレーム１３に対して互いに固定される第２の溝３３と、第１の溝３２と第２の溝３３に挿入するピンプラグ３１ａを有する操作部とを備える。
【００２４】
図７は制御機構が回転ロック状態である場合の斜視図である。図８は収納筺体の構成を示す概略図である。図９は制御機構が回転ロック解除状態である場合の斜視図である。制御機構３０は、腰部フレーム１３と背部フレーム１５との接続部２０において、背部フレーム１５の回転軸として、腰部フレーム１３に固定される支持軸２１が設けられ、背部フレーム１５に、支持軸２１から偏心して形成される孔状の第１の溝３２が設けられる。また、図７に示すように、支持軸２１に位置決め板３９を半田付けして固定し、位置決め板３９に第２の溝３３を形成することにより、腰部フレーム１３が第２の溝３３に対して固定される。
【００２５】
背部フレーム１５と腰部フレーム１３とが略同一平面に位置する場合、即ち背部フレーム１５と腰部フレーム１３との間の角度βが略１８０°である場合、第１の溝３２と第２の溝３３とは重なり、後述のピンプラグ３１ａが挿入され、背部フレーム１５と腰部フレーム１３とをロック状態にする。
【００２６】
操作レバー３１は、互いに平行なピンプラグ３１ａと、長挿入軸３１ｂとを備え、折り曲げ部３１ｃによりピンプラグ３１ａと長挿入軸３１ｂとが接続され、操作レバー３１がＪ字状になる。また、背部フレーム１５に長挿入軸３１ｂを挿入するための取付け孔３４が設けられ、長挿入軸３１ｂを取付け孔３４に挿入すると、ピンプラグ３１ａは長挿入軸３１ｂを中心に回転することができる。
【００２７】
図５における矢印Ａに示す方向及びその反対方向に操作レバー３１を操作すると、長挿入軸３１ｂが取り付け孔３４に沿って出し入れすることができる。長挿入軸３１ｂは取り付け孔３４に挿入した後に、長挿入軸３１ｂの挿入した側にコイルバネ３６を取り付け、長挿入軸３１ｂの先端にボルト３７を締め付ける。これにより、コイルバネ３６は操作レバー３１に、長挿入軸３１ｂを取付け孔３４に挿入するように、弾力を加えることができる。
【００２８】
本実施例において、快適にかつ便利に制御機構３０を使用するために、制御機構３０に、操作レバー３１の折り曲げ部を収納する収納筺体３８が設けられる。
【００２９】
図７〜図９に示すように、収納筺体３８は筒状であり、当該収納筺体３８の底部には、取り付け孔３４の位置決め孔として用いられる孔３８ｄと、第１の溝３２に対応する孔３８ｅと、孔３８ｄとの距離が孔３８ｄと３８ｅとの距離と同じである孔３８ｆが設けられている。
【００３０】
図７に示すように、背部フレーム１５と腰部フレーム１３とがロック状態である場合、操作レバー３１のピンプラグ３１ａは、収納筺体３８の孔３８ｅに挿入され、かつ、第１の溝３２と第２の溝３３に挿入される。これにより、背部フレーム１５と腰部フレーム１３は固定され、接続部２０を中心とする相対的な回転が制限され、その結果、背部フレーム１５と腰部フレーム１３は、図２、３に示すように、略１８０°の角度を成し、略同一平面になる状態にロックされる。この場合、ピンプラグ３１ａは第１の溝３２と第２の溝３３に挿入しているため、操作レバー３１の折り曲げ部３１ｃは筒状の収納筺体３８に収納される。
【００３１】
上記ロック状態で、ユーザは、図５中の矢印Ａと反対する方向へ折り曲げ部３１ｃを引っ張ると、操作レバー３１の長挿入軸３１ｂが取り付け孔３４に沿って矢印Ａと反対する方向へ移動し、操作レバー３１のピンプラグ３１ａが第１の溝３２と第２の溝３３とから引き抜かれ、背部フレーム１５と腰部フレーム１３のロック状態が解除される。
【００３２】
そして、長挿入軸３１ｂを中心として操作レバー３１が回転し、操作レバー３１のピンプラグ３１ａを孔３８ｆに位置合わせ、図９に示すように、長挿入軸３１ｂを取り付け孔３４に挿入する方向にピンプラグ３１ａを収納筺体３８の孔３８ｆに挿入することにより、腰部フレーム１３に対する背部フレーム１５の回転ロックが解除され、ピンプラグ３１ａが収納筺体３８の孔３８ｆに固定される。これにより、操作レバー３１の揺れにより背部フレーム１５の回転やユーザの運動が妨げられることがない。また、操作レバー３１の折り曲げ部３１ｂは、ロック解除状態にも収納筺体３８に収納されるため、ユーザの動きに影響しない。
【００３３】
腰部フレーム１３に対する背部フレーム１５の回転ロックが解除される場合、ユーザが力を入れて背部フレーム１５に寄りかかると、背部フレーム１５は支持軸２１を軸として、腰部フレーム１３に対して後方に回転して倒れる。図２と図４に示すように、腰部フレーム１３はベースフレーム１１に対して任意の角度αに固定することができるので、ユーザは腰部が支えられた状態で、上半身の腰部以上の胴体部分が仰向けとなり、ストレッチ運動をすることができる。
【００３４】
背部フレーム１５と腰部フレーム１３との間に、弾性部品として渦巻ばね４０が設けられるため、渦巻ばね４０は、背部フレーム１５を腰部フレーム１３と略１８０°の角度に対応した位置まで回復するように背部フレーム１５を付勢する(即ち腰部フレーム１３と略同一平面まで回復する弾力を加える)。そのため、ユーザは、座椅子１を利用し、ストレッチ運動をする場合、ユーザの背部が押されて、運動時の安全性を確保するとともに、ユーザが繰り返してストレッチ運動をすることができる。
【００３５】
また、収納筺体３８が設けられているため、背部フレーム１５は、回転ロック状態とロック解除状態の何れかであっても、操作レバー３１の折り曲げ部３１ｃが、すべて筒状の収納筺体３８中に収納されるので、ユーザは、本実施例に係る座椅子を利用して、腹筋運動(背部フレーム１５が回転ロック状態である場合)、或いはストレッチ運動(背部フレーム１５がロック解除状態である場合)をしても、操作レバー３１はユーザーの運動を妨げず、かつ便利に使用することができる。
【００３６】
操作レバー３１について、長挿入軸３１ｂの取り付け孔３４を挿入した部分にコイルバネ３６が取り付けられ、常に操作レバー３１に対して、長挿入軸３１ｂを挿入する方向に付勢することができる。これにより、ユーザは座椅子１を利用して運動するとき、操作レバー３１、特にピンプラグ３１ａは運動時の振動によって予想外に第１及び第２の溝３２、３３から抜け出て、背部フレーム１５の回転ロックが解除されてしまうことを確実に回避できる。それによって座椅子の安全性と信頼性を高めることができる。
【００３７】
本実施例に係る座椅子１は、ベースフレーム１１と、一端がベースフレーム１１の後端部に回転可能に接続され、ベースフレーム１１に対し任意の角度に調整できる腰部フレーム１３と、一端が腰部フレーム１３の他端に回転可能に接続され、前記腰部フレーム１３との角度が略１８０度、即ち腰部フレーム１３に対し略同一平面になる位置と、腰部フレーム１３に対して座椅子１の後ろ側へ回転する回転位置との間に変換できる背部フレーム１５を備える。したがって、ユーザは座椅子１を利用してストレッチ運動することができ、また、図３に示すように、ユーザ個人の好みに応じて、腰部フレーム１３のベースフレーム１１に対する角度αを調整することにより、ユーザの腰部を支える腰部フレーム１３と背部フレーム１５の支持軸２１の高さを最適な状態に調整し、ストレッチ運動をより効果的に行うことができる。
【００３８】
本実施例において、ユーザの腰部に対する座椅子１の支え効果をさらに高めるために、支持軸２１の前方に、即ちユーザが寄りかかっている側に腰部支持体５０が設置され、これにより腰部を支え、利用者の快適性が高まる。
【００３９】
以上は本考案の最良な実施形態を説明した。本実施例において弾性部品として、渦巻ばね４０を使用している。渦巻ばね４０を使用する場合、ユーザはストレッチ運動する時、ユーザの背部を押す力を十分に与えるために、渦巻ばね４０は、背部フレーム１５と腰部フレーム１３との角度が略１８０°、即ち略同一平面上になる状態で、予め十分な円周方向の弾性力を与える必要がある。
【００４０】
この場合、背部フレーム１５と腰部フレーム１３との間にストッパー４５を設置し、腰部フレーム１３に対して背部フレーム１５が座椅子１の前方へ必要以上に回転することを制限する。このことは当業者にとって明らかである。本実施例において、ストッパー４５は上記の位置決め板３９に設置されるが、他の位置制限手段を用いてもよい。
【００４１】
また、制御機構３０の構成は、上記実施例に限られるものではなく、任意のピン構造、又は係合部材により構成されてもよい。また、足部フレーム１７がなくても良く、この場合、座椅子の大きさ及び使用時の敷地面積が小さくなる。
【００４２】
以上、本考案の最良な実施例について詳細に説明した。しかし、本考案は上記実施例に限られるものではなく、考案の請求範囲に記載される本考案の要旨の範囲内に、種々の変更・変形ができる。
【図１】
0003183378.tif 000003
【図２】
0003183378.tif 000004
【図３】
0003183378.tif 000005
【図４】
0003183378.tif 000006
【図５】
0003183378.tif 000007
【図６】
0003183378.tif 000008
【図７】
0003183378.tif 000009
【図８】
0003183378.tif 000010
【図９】
0003183378.tif 000011